(57)【要約】【課題】  計測対象物の表面に対し垂直に爪部を引っ掛けることができない場合でも、目盛が表示された検尺テープの表面を計測者側に向けた状態で検尺テープの先端を固定することができる巻尺を提供する。【解決手段】  コンベックス１の検尺テープ１０は引掛具３を備えている。この引掛具３は、検尺テープ１０の表面に対して垂直に折り曲げられた爪部３ａが、検尺テープ１０の長さ方向の先端に位置するように検尺テープ１０に取り付けられている。そして、爪部３ａは、検尺テープ１０の幅より幅広に形成されている。このコンベックス１は、検尺テープ１０の幅より広い部分を柱やドア枠などに引っ掛けることで、目盛が記された表面を上に向けたまま検尺テープ１０を伸ばすことができる。従って、このコンベックス１を用いれば、目盛が記された表面を計測者側に向けて計測することができる。【選択図】  図３
2005292086.tif 000002
【特許請求の範囲】
【請求項１】
検尺テープの表面に対して垂直に折り曲げられた爪部が、前記検尺テープの長さ方向の先端に位置するように前記検尺テープに取り付けられた引掛具を備える巻尺において、
前記爪部は、前記検尺テープの幅より幅広に形成されていることを特徴とする巻尺。
【請求項２】
請求項１記載の巻尺において、
前記爪部は、対象物に着接可能に形成されていることを特徴とする巻尺。
【請求項３】
請求項２記載の巻尺において、
前記爪部は、磁石部を備えていることを特徴とする巻尺。
【発明の詳細な説明】
【技術分野】
【０００１】
本発明は、巻尺に関する。
【背景技術】
【０００２】
従来より、コンベックスと呼ばれている小型の巻尺は、巻回された鋼製の検尺テープを筐体内に備え、この検尺テープは、その先端を計測対象物に引っ掛けるための引掛具を備えている。この引掛具は、検尺テープの表面に対して垂直に折り曲げられた爪部を備え、この爪部が、検尺テープの長さ方向の先端に位置するよう検尺テープに取り付けられている。  また、検尺テープの表面には、爪部からの長さを示す目盛が記載されている。
【０００３】
このコンベックスを用いて板の長さ等を計るときは、長さを計りたい計測対象物の一端に爪部を引っ掛けて検尺テープを収納している筐体をその他端まで引けばよい。このようにすると筐体内に巻回された検尺テープが筐体から順次出てきて長さを計りたいものの一端から他端まで伸ばされるので、他端に位置する検尺テープの目盛を読めば、爪部を引っ掛けた位置から目盛を読んだ位置までの長さを読むことで、その物の一端から他端までの長さを計ることができる。
【０００４】
尚、上記背景技術に記載したコンベックスは、一般市場に広く出回っているものなので、特に先行技術に関する調査は行っていない。
【発明の開示】
【発明が解決しようとする課題】
【０００５】
ところで、上述したコンベックスで床の長さや部屋の四隅の長さを計ろうとした場合、床面等の計測対象物の表面に対して垂直に爪部を引っ掛けることができないことがある。そのような場合、柱やドア枠などに爪部を引っ掛けてその長さを計測するようなことがあった。
【０００６】
しかし、このようにすると目盛が表示された検尺テープの表面が上方、すなわち測定者側を向かないので、目盛を読み難いという問題があった。
そこで本発明では、上述した問題点を解決し、計測対象物の表面に対し垂直に爪部を引っ掛けることができない場合でも、目盛が表示された検尺テープの表面を計測者側に向けた状態で検尺テープの先端を固定することができる巻尺を提供することを目的とする。
【課題を解決するための手段】
【０００７】
上述した問題点を解決するためになされた記載の発明は、  検尺テープの表面に対して垂直に折り曲げられた爪部が、検尺テープの長さ方向の先端に位置するように検尺テープに取り付けられた引掛具を備える巻尺において、爪部は、検尺テープの幅より幅広に形成されていることを特徴とする。この巻尺は、テープの幅より広い部分を柱やドア枠などに引っ掛けることで、目盛が表示された検尺テープの表面を計測者側に向けた状態で検尺テープの先端を固定することができる。従って、この巻尺を用いれば、計測対象物の表面に対し垂直に爪部を引っ掛けることができない場合でも、幅広の部分を引っ掛けることができれば、目盛が表示された表面を計測者側に向けて計測することができる。
【０００８】
爪部は、対象物に着接可能に形成されていることが好ましい。このようにすれば、爪部を対象物に当てれば爪部が固定されるので、あとは検尺テープを伸ばせば対象物から所定位置までの長さの計測が可能となる。しかも、この巻尺では爪部を着接するだけで計測ができるので、目盛が記された表面を任意の方向に向けることができる。従って、この巻尺を用いると、計測対象物の表面に垂直に爪部を引っ掛けることができない場合でも、目盛が記された表面を計測者側に向けて計測することができる。尚、対象物としては、鉄等の磁石と磁力によって着接可能なものが主に想定されるので、爪部は、磁石部を備えていることが好ましい。また、対象物に着接可能な構成としては、爪部を対象物に繰り返し張ったり剥がしたりすることができる接着部材を積層してもよい。
【発明を実施するための最良の形態】
【０００９】
以下、本発明を実施するための最良の形態について図面を用いて説明する。
図１及び図２は、本実施形態のコンベックスの六面図で、図１（ａ）は正面図、図１（ｂ）は右側面図、図１（ｃ）は底面図、図２（ａ）は背面図、図２（ｂ）は平面図、図２（ｃ）は左側面図である。図３は、コンベックスの概略構成図で、（ａ）はコンベックスを左側面図、（ｂ）は（ａ）の平面図で表された検尺テープの先端を矢印αの方向（検尺テープの表面に平行な方向）から見た図である。
【００１０】
本実施形態のコンベックス１（本発明の巻尺に相当する）は、図１，２に示すように、鋼製の検尺テープ１０を巻回した状態（図３参照）で収納可能な筐体２を備えている。この筐体２の厚み方向に沿った側面は、正面側側面２ａと底面側側面２ｂとが垂直に交わり、その他の部分２ｃは、その断面が巻回された検尺テープ１０と同軸な円状に形成されている（図３参照）。このうち正面側側面２ａには、底面側側面２ｂと交わる部分の近傍に、筐体２内に収納されていた検尺テープ１０を出し入れ可能な挿抜孔２０が形成されている（図３参照）。
【００１１】
検尺テープ１０は、図３に示すように、筐体２内に回転可能に設けられた回転軸１２に巻きつけられて筐体２内に収納されている。また、検尺テープは引掛具３を備えており、この引掛具３は、検尺テープ１０の表面に対して垂直に折り曲げられた爪部３ａが、検尺テープ１０の長さ方向の先端に位置するように検尺テープ１０に取り付けられている。そして、その爪部３ａは、その幅ａが、検尺テープ１０の幅ｂより幅広に形成されている。さらにこの爪部３ａは、対象物に対向する面に磁石３ｂが取り付けられている。また、この検尺テープ１０の目盛が書かれた表面に、ナイロンでコーティングされている。
【００１２】
本実施形態のコンベックス１はゴム製のカバー４を備えており、筐体２はこのカバー４で覆われている。また、本実施形態のコンベックス１は、ストッパーを４ａ、４ｂを備えており、一つ４ａは正面側側面２ａ、一つ４ｂは底面側側面２ｂに備えられている。
【００１３】
このように構成されたコンベックス１の筐体２内から検尺テープ１０を外部に引き出すには、引掛具３を引けばよい。引掛具３を引くと、筐体２内に収納された検尺テープ１０が回転し、外周側のものから順に挿抜孔に向かって接線方向に外部に導かれ、挿抜孔２０から引き出される。
【００１４】
また、このコンベックス１は、検尺テープ１０が筐体２内に収納されて巻回されるよう付勢する図示しない付勢手段を備えているので、引掛具３を引掛けたり検尺テープ１０を持つなどして検尺テープ１０が筐体２から引き出された状態を維持しないと、検尺テープ１０は自動的に筐体２内に収納されるように構成されている。ただし、このように構成されているため、引掛具３の引掛けが解けてしまうと、このコンベックス１は検尺テープ１０を巻き込んでしまう。そのため、本実施形態のコンベックス１は、二つのストッパー４ａ、４ｂを備え、手元で検尺テープ１０が筐体２内に収納されないようにするとめておくことができる。尚、これらストッパー４ａ、４ｂについては周知なので説明は詳細な説明は省略する。
【００１５】
以上説明したコンベックス１を用いると以下のような効果がある。
このコンベックス１は、検尺テープ１０の幅ｂより広い部分を柱やドア枠などに引っ掛けることで、目盛が記された表面を上に向けたまま検尺テープ１０を伸ばすことができる。従って、このコンベックス１を用いれば、計測対象物の表面に対し垂直に爪部３ａを引っ掛けることができない場合でも、目盛が表示された検尺テープ１０の表面を計測者側に向けた状態で検尺テープ１０の先端を固定することができる。
【００１６】
また、本実施形態のコンベックス１は、爪部３ａを対象物に当てれば磁石３ｂによって爪部３ａが対象物に固定されるので、あとは検尺テープ１０を伸ばせば対象物から所定位置までの長さの計測が可能となる。しかも、このコンベックス１では爪部３ａを着接するだけで計測ができるので、目盛が記された表面を任意の方向に向けることができる。従って、このコンベックス１を用いると、爪部３ａで引っ掛ける場所がなくても、目盛が記された表面を計測者側に向けて計測することができる。
【００１７】
本実施形態のコンベックス１は、ゴム製のカバー４を備えているので、落下しても筐体２が割れ難くすることができる。
さらに本実施形態のコンベックス１は、テープにナイロンコートが施されているので、目盛等の文字の擦り切れを防止する効果が、検尺テープの反射防止効果がある。
【００１８】
尚、以上本発明の一実施形態ついて説明したが、本発明はこの実施形態に何等限定されるものではなく、本発明の要旨を逸脱しない範囲において、種々なる態様で実施し得ることは勿論である。
【００１９】
例えば、本実施形態では、爪部３ａに磁石を取り付けたが、繰り返し対象物に着接可能な接着剤を積層してもよい。
【図面の簡単な説明】
【００２０】
【図１】本実施形態のコンベックスの六面図で、図１（ａ）は正面図、図１（ｂ）は右側面図、図１（ｃ）は底面図である。
【図２】本実施形態のコンベックスの六面図で、図２（ａ）は背面図、図２（ｂ）は平面図、図２（ｃ）は左側面図である。
【図３】コンベックスの概略構成図で、（ａ）はコンベックスを左側面図、（ｂ）は（ａ）の平面図で表された検尺テープの先端を矢印αの方向（検尺テープの表面に平行な方向）から見た図である。尚、筐体内は、透過して示している。
【符号の説明】
【００２１】
１…コンベックス、２…筐体、３…引掛具、３ａ…爪部、３ｂ…磁石、４…カバー、４ａ…ストッパー、１０…検尺テープ、１２…回転軸、２０…挿抜孔
【図１】
2005292086.tif 000003
【図２】
2005292086.tif 000004
【図３】
2005292086.tif 000005